(57)【要約】【課題】  建物において、鉄骨梁に貫通支持される接続エアダクトを流れるエアの圧力損失を低減することができ、また鉄骨梁の剛性低下を軽減し、さらに接続ダクトの鉄骨梁に対する支持強度が高められる。【解決手段】  鉄骨梁Ｂに貫通支持される、エアダクトのベンチュリ型接続エアダクトであって、軸方向の中央部に最小径部５ａを、その両端部に最大径部５ｂを有して内面に滑らかに連続するくびれ通路７を有するベンチュリ管部５と、その両端部に連なるダクト差込部６とより接続エアダクト本体４を構成し、その軸方向中央部の外周面を固定具８を介して貫通孔１０に固定支持した。【選択図】図３
2008267502.tif 000002
【特許請求の範囲】
【請求項１】
建物躯体の鉄骨梁（Ｂ）に貫通支持される、エアダクトのベンチュリ型接続エアダクトであって、
軸方向の中央部に最小径部（５ａ）を、軸方向の両端部に最大径部（５ｂ）を有して内面に滑らかに連続するくびれ通路（７）を有するベンチュリ管部（５）と、このベンチュリ管部（５）の両端部に連接される短円筒状のダクト差込部（６）とより接続エアダクト本体（４）を構成し、この接続エアダクト本体（４）の軸方向中央部の外周面を固定具（８）を介して前記鉄骨梁（Ｂ）の貫通孔（１０）に固定支持したことを特徴とする、建物におけるエアダクトのベンチュリ型接続エアダクト。
【請求項２】
前記鉄骨梁（Ｂ）の断面中心（１２）を通る縦中心線（Ｌ−Ｌ）上に、接続エアダクト本体（４）の中心（ｃ）を一致させたことを特徴とする、前記請求項１記載の建物におけるエアダクトのベンチュリ型接続エアダクト。
【発明の詳細な説明】
【技術分野】
【０００１】
本発明は、建物において、鉄骨梁の貫通孔に貫通支持される、エアダクトのベンチュリ型接続エアダクトに関する。
【背景技術】
【０００２】
従来、鉄骨構造、鉄筋コンクリート構造の建物において、空調用などのエアダクトの配管をするには、床下空間や天井空間に敷設される鉄骨梁のウエブに貫通孔を開口し、その貫通孔にエアダクトを貫通、支持させることが行なわれる。
【０００３】
たとえば、後記特許文献１に示すように、コンクリートスラブに吊下支持されるＨ型鋼（鉄骨梁）のウエブに貫通孔を開口し、この貫通孔に直線状のスリーブ部（接続エアダクト）を貫通支持させ、そのスリーブ部にエアダクトなどの配管を接続するようにしている。
【特許文献１】特開平１０−２３１９６０号公報
【発明の開示】
【発明が解決しようとする課題】
【０００４】
ところで、このように鉄骨梁に複数の接続エアダクトを貫通支持させる場合に、
(1) 鉄骨梁には、複数の貫通孔が開口されるので、その剛性低下を軽減するため、貫通孔の開口面積を小さくすること、
(2) 接続エアダクトを流れるエアの流量を増大させるべく、その流通抵抗を低減し、接続エアダクトのエア流通面積を大きくすること、
(3) 接続エアダクトの、鉄骨梁に対する支持強度を高めること、
などが要求される。
【０００５】
しかしながら、前記特許文献１に開示されるものでは、直線状のスリーブ部を、Ｈ型鋼（鉄骨梁）の貫通孔に貫通支持させているので、前記要求に対する対策が採られていないという問題がある。
【０００６】
本発明はかかる実情に鑑みてなされたもので、前記問題を解決した新規な建物におけるエアダクトの接続エアダクトを提供することを目的とする。
【課題を解決するための手段】
【０００７】
前記目的を達成するために、請求項１記載の発明は、建物躯体の鉄骨梁に貫通支持される、エアダクトのベンチュリ型接続エアダクトであって、
軸方向の中央部に最小径部を、軸方向の両端部に最大径部を有して内面に滑らかに連続するくびれ通路を有するベンチュリ管部と、このベンチュリ管部の両端部に連接される短円筒状のダクト差込部とより接続エアダクト本体を構成し、この接続エアダクト本体の軸方向中央部の外周面を固定具を介して前記鉄骨梁の貫通孔に固定支持したことを特徴としている。
【０００８】
また、前記目的を達成するために、請求項２記載の発明は、前記請求項１記載のものにおいて、前記鉄骨梁の断面中心を通る縦中心線上に、接続エアダクト本体の中心を一致させたことを特徴としている。
【発明の効果】
【０００９】
請求項各項記載の発明によれば、ベンチュリ型接続エアダクトを流れるエアの圧力損失を低減することができ、また鉄骨梁の剛性低下を低減し、さらに前記接続エアダクトを鉄骨梁に対して強固に支持することができる。
【発明を実施するための最良の形態】
【００１０】
本発明の実施の形態を、添付図面に例示した本発明の実施例に基づいて以下に具体的に説明する。
【００１１】
図１は、本発明建物におけるベンチュリ型接続エアダクトを備えた、空調装置の配管系を示す図、図２は、鉄骨梁に対するエアダクトの貫通支持部の斜視図、図３は、図２の３−３線に沿う断面図、図４は、図３の４−４線に沿う断面図、図５は、ベンチュリ型接続エアダクトの斜視図である。
【００１２】
図１において、階上室Ｒ１と階下室Ｒ２との間に画成される床下空間（天井空間）Ｒ３には、空調用の複数のエアダクト群Ｄが配管され、それらのエアダクト群Ｄの上流側は集合されて空調機Ａの送風ファンＣに接続される。床下空間Ｒ３において、各エアダクト１には、複数の分技ダクト２が分岐され、各分岐ダクト２の下流端は、天井壁Ｒを貫通して階下室Ｒ２に連通されており、空調機Ａにより空調されたエアは、送風ファンＣにより加圧されて複数エアダクト１に圧送され、そこから分岐ダクト２を通して階下室Ｒ２へと送給される。
【００１３】
前記エアダクト群Ｄは、階上室Ｒ１のコンクリートスラブＳを支持する複数の鉄骨梁Ｂにより貫通支持される。
【００１４】
つぎに、図２〜５を参照して、エアダクト１の構造およびその鉄骨梁Ｂへの支持構造について具体的に説明する。
【００１５】
前記エアダクト１は、その途中にベンチュリ型接続エアダクト３が接続されており、この接続エアダクト３が建物躯体の鉄骨梁Ｂに貫通支持される。接続エアダクト３の主体部を構成する接続エアダクト本体４は、ベンチュリ管部５と、その両端に一体に連接されるダクト差込部６，６とより構成される。ベンチュリ管部５は、その軸方向中央部に、最小径部５ａ（直径５ａＤ）を、また前記ダクト差込部６，６に連なる両端部に最大径部５ｂ，５ｂを有してその中心ｃを通る直径線に対して左右対称に形成され、かつその内面には、段部のない滑らかに連続するくびれ通路７が形成されている。一方、ダクト差込部６，６は短円筒状に形成されて、その外径６Ｄは、鉄骨梁Ｂに開口される貫通孔１０の直径１０Ｄよりも若干小径に形成されて、その外周面にエアダクト１が一体に接続される。
【００１６】
図４，５に示すように、接続エアダクト３のベンチュリ管部５の軸方向中央部の外周面には、複数（４個）の固定具８…が周方向に等間隔をあけて固定されており、これらの固定具８…は、鉄骨梁Ｂの貫通孔１０の内周縁に係合支持される。
【００１７】
図２に示すように、前記鉄骨梁ＢはＨ型鋼により構成され、そのウエブ１１には、長手方向に間隔をあけて複数の円孔よりなる貫通孔１０が開口されている。
【００１８】
図３に示すように、接続エアダクト３は、単独で鉄骨梁Ｂの一側から貫通孔１０に挿入され、そのベンチュリ管部５の軸方向中央部の外周面に固定した複数の固定具８…を、貫通孔１０の内周面に係合支持させる。これにより、接続エアダクト３は、鉄骨梁Ｂの貫通孔１０に貫通支持される。そして、この支持状態では、鉄骨梁Ｂの断面中心１２を通る縦中心線Ｌ−Ｌ上に、接続エアダクト３の中心ｃを位置させることができ、この接続エアダクト３の最小径部５ａを貫通孔１０の中央に位置させることができ、貫通孔１０と接続エアダクト３との間に比較的広い環状の間隙１４を形成することができる。
【００１９】
図３に示すように、鉄骨梁Ｂの全外周面および接続エアダクト３の貫通孔１０への支持部は、耐火被覆材１６により被覆される。
【００２０】
接続エアダクト３の左右両端のダクト差込部６，６の外周面には、エアダクトＤの端部内周面がテープ１７を挟んで密に嵌合され、それらはビスなどの固定具１８により一体に固定される。
【００２１】
つぎに、この実施例の作用について説明する。
【００２２】
いま、空調機Ａの送風ファンＣから送給される空調エアは、図２，３矢印に示すように一方のエアダクト１よりベンチュリ型接続エアダクト３を経て他方のエアダクト１へと流れるが、この接続エアダクト３は、その主体部がベンチュリ管部５よりなり、このベンチュリ管部５はその軸方向中央部に最小径部５ａを有し、その両端にエアダクト１と同径の最大径部５ｂを有して、その内周面に段差にない滑らかな連続したくびれ通路７に有しているので、この接続エアダクト３を流れる空調エアの流量を充分に確保しながらその流通抵抗を低減して圧力損失を最小限に抑えることができる。また、鉄骨梁Ｂの貫通孔１０に接続エアダクト３の最小径部５ａが位置いていることにより、接続エアダクト３は、流通エアの流量を充分に確保しながら、貫通孔１０を貫通させることができるので、その両端へのエアダクト１の接続作業が容易である。さらに、貫通孔１０は、接続エアダクト３を単に貫通させるだけの大きさがあれば足りるので、その開口面積を小さく抑えることができ、鉄骨梁Ｂの剛性低下を軽減することができる。さらにまた、貫通孔１０と接続エアダクト３との間に比較的広い環状の間隙１４を形成することにより、鉄骨梁Ｂに対する接続エアダクト３の支持がし易くなり、接続エアダクト３の支持強度を高めることができる。      
【００２３】
以上、本発明の実施例について説明したが、本発明はその実施例に限定されることなく、本発明の範囲内で種々の実施例が可能である。
【図面の簡単な説明】
【００２４】
【図１】本発明建物におけるベンチュリ型接続エアダクトを備えた、空調装置の配管系示す図
【図２】鉄骨梁に対するエアダクトの貫通支持部の斜視図
【図３】図２の３−３線に沿う断面図
【図４】図３の４−４線に沿う断面図
【図５】ベンチュリ型接続エアダクトの斜視図
【符号の説明】
【００２５】
４・・・・・・・・接続エアダクト本体
５・・・・・・・・ベンチュリ管部
５ａ・・・・・・・最小径部
５ｂ・・・・・・・最大径部
６・・・・・・・・ダクト差込部
７・・・・・・・・くびれ通路
８・・・・・・・・固定具
１０・・・・・・・・貫通孔
１２・・・・・・・・断面中心（鉄骨梁）
Ｂ・・・・・・・・・鉄骨梁
ｃ・・・・・・・・・中心（接続エアダクト本体）
【図１】
2008267502.tif 000003
【図２】
2008267502.tif 000004
【図３】
2008267502.tif 000005
【図４】
2008267502.tif 000006
【図５】
2008267502.tif 000007